(57)【特許請求の範囲】
【請求項１】
一方の手の人差し指、中指、薬指及び小指のうちの少なくとも１つの指に装着される指装着部と、手首に装着される手首装着部と、前記指装着部及び前記手首装着部間を繋ぐ引っ張り手段とを有する矯正器具と、
前記一方の手に、少なくとも手の甲及び手の平を包む状態で装着され、前記指装着部及び前記手首装着部が取り付けられている手袋本体と
を備え、
前記引っ張り手段は、前記指装着部に指を通し、かつ前記手首装着部を手首に装着した状態において、前記指装着部を手の甲の側から前記手首装着部に近づく方向に引っ張り、及び前記手袋本体の手の甲を包む側の外側において、前記指装着部及び前記手首装着部を繋ぎ、
前記手袋本体の手の平を包む側の、一方の手の親指の中手骨周辺を包む領域に、他方の手の親指を固定する親指固定手段が設けられている
ことを特徴とする手袋。
【請求項２】
前記引っ張り手段が前記手首装着部と係合される位置によって、前記指装着部及び前記手首装着部間の距離が定まる
ことを特徴とする請求項１に記載の手袋。
【請求項３】
前記係合される位置は、変更可能である
ことを特徴とする請求項２に記載の手袋。
【請求項４】
前記親指固定手段は、他方の指を収容する袋状体又は筒状体である
ことを特徴とする請求項１〜３のいずれか一項に記載の手袋。
【請求項５】
前記親指固定手段は、前記手袋本体に対して着脱可能である
ことを特徴とする請求項４に記載の手袋。
【発明の詳細な説明】
【技術分野】
【０００１】
この発明は、ゴルフ等、両手で一本のクラブ等を振る場合に、手首の関節の不必要な動きを抑えて正確なショットを行うことができる機能を有した手袋に関する。
【背景技術】
【０００２】
ゴルフ等のスイングにおいては、スイング中における手首の動きが、打球の飛ぶ方向及び速さに大きく影響することが知られている。
【０００３】
図１を参照して、利手が右手の人がゴルフを行う場合における、クラブの握り方について説明する。まず、利手と反対側の手である左手ＨＬでクラブ１を握る。この際に、左手ＨＬの親指を、クラブ１に沿わせて宛がう。次に、右手ＨＲで、左手ＨＬの親指を握り込みつつ、クラブ１を握る。
【０００４】
ここで、右手首の関節ＨＲ１を軸とした、手の甲側又は手の平側への右手の運動（図１に矢印Ｙ１で示す方向の運動）、並びに左手首の関節ＨＬ１を中心とした、手の甲側又は手の平側への左手の運動（図１に矢印Ｙ２で示す方向の運動）がスイング中に発生すると、打球の速度が低下する。さらに、これらの運動によって、クラブフェースの向きが変化するため、飛球方向が不安定となる。従って、スイング中においては、右手の運動Ｙ１及び左手の運動Ｙ２を抑制するのが望ましい。
【０００５】
手の運動Ｙ１及びＹ２を抑制するための器具として、手を甲側に引っ張った状態で維持させる手袋がある（例えば特許文献１参照）。特許文献１の手袋では、手袋部の甲を包む部分から手首にかけて、例えば引っ張り弾性を有する部材で形成された引っ張り手段が設けられている。その結果、この手袋を手に装着すると、引っ張り手段の引っ張り力によって、手が甲側に引っ張られる。従って、手首を甲側に曲がった状態で維持することができる。そのため、手の運動Ｙ１及びＹ２が抑制される。
【先行技術文献】
【特許文献】
【０００６】
【特許文献１】特開平８−１９６６８０号公報
【発明の概要】
【発明が解決しようとする課題】
【０００７】
ゴルフ等のスイング中における左右の手の運動Ｙ１及びＹ２を、従来よりも確実に抑制できる器具が望まれている。
【０００８】
この発明の目的は、ゴルフ等のスイング中における手の運動Ｙ１及びＹ２を確実に抑制できる手袋を提供することにある。
【課題を解決するための手段】
【０００９】
上述した目的を達成するために、この発明の手袋は、一方の手の人差し指、中指、薬指及び小指のうちの少なくとも１つの指に、装着される指装着部と、手首に装着される手首装着部と、指装着部及び手首装着部間を繋ぐ引っ張り手段とを有する矯正器具と、一方の手に、少なくとも手の甲及び手の平を包む状態で装着され、前記指装着部及び前記手首装着部が取り付けられている手袋本体とを備える。指装着部に指を装着し、かつ手首装着部を手首に装着した状態において、引っ張り手段は、指装着部を手の甲の側から手首装着部に近づく方向に引っ張る。また、引っ張り手段は、手袋本体の手の甲を包む側の外側において、指装着部及び手首装着部を繋ぐ。さらに、手袋本体の手の平を包む側の、一方の手の親指の中手骨周辺を包む領域には、他方の手の親指を固定する親指固定手段が設けられている。
【発明の効果】
【００１１】
この発明の手袋では、指装着部を指に装着し、かつ手首装着部を手首に装着することによって、一方の手に装着される。そして、手に装着された状態において、引っ張り手段が、指装着部を手の甲の側から手首装着部に近づく方向に引っ張る。これによって、指装着部に通した指が、手の甲の側に引っ張られる。その結果、手全体が、手の甲の側に引っ張られた状態で固定される。従って、この発明の手袋を一方の手に装着することによって、その一方の手の運動Ｙ１又はＹ２を確実に抑制できる。ゴルフ等の両手で道具を握るスポーツの場合、スイング中において、他方の手は一方の手の運動に連動する。そのため、この発明の手袋を一方の手に装着することによって、ゴルフ等のスイング中における左右の手の運動Ｙ１及びＹ２を、確実に抑制することができる。 
【図面の簡単な説明】
【００１２】
【図１】ゴルフにおける、クラブの握り方について説明するための図である。
【図２】この発明の手袋が備える矯正器具を示す模式図である。
【図３】この発明の手袋が備える矯正器具を手に装着した状態を示す模式図である。
【図４】この発明の手袋が備える矯正器具を手に装着した状態を示す模式図である。
【図５】この発明の手袋を示す模式図である
【図６】この発明の手袋を手に装着した状態を示す模式図である。
【図７】この発明の手袋を手に装着した状態を示す模式図である。
【図８】この発明の、親指固定手段を設けた手袋を示す模式図である。
【図９】（Ａ）及び（Ｂ）は、この発明の手袋に着脱可能な親指固定手段を設ける場合の構成例を示す模式図である。
【図１０】手袋本体から取り外された状態の親指固定手段を示す模式図であり、親指固定手段が、手袋を装着するのとは反対の手に装着された状態を示す図である。
【図１１】（Ａ）は、この発明の手袋に、手袋固定手段を追加して設ける場合を示す模式図である。（Ｂ）は、この発明の手袋を装着するのとは反対の手に装着される手袋を示す模式図である。
【発明を実施するための形態】
【００１３】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００１４】
（矯正器具）
図２を参照して、この発明の実施の形態による矯正器具について説明する。図２は、この実施の形態による矯正器具を示す模式図である。
【００１５】
矯正器具１００は、１又は複数の指装着部１０と、手首装着部２０と、引っ張り手段３０とを備えて構成されている。
【００１６】
指装着部１０は、一方の手（ここでは右手）の人差し指、中指、薬指及び小指のうちの少なくとも１つの指に、それぞれ１つずつ装着される。図２では、矯正器具１００が１つの指装着部１０を備える場合の構成例を示している。この１つの指装着部１０は中指に装着される。
【００１７】
なお、指装着部１０の数及びいずれの指に装着されるかは、用途に応じて適宜変更することができる。例えば、指装着部１０を複数設けることもできる。その場合には、中指に装着される第１の指装着部、及び薬指に装着される第２の指装着部の２つの指装着部を備える構成、又は人差し指、中指、薬指及び小指に、一対一で対応して装着される４つの指装着部を備える構成等とすることもできる。そして、指装着部１０の数及びいずれの指に装着されるかに応じて、指装着部１０の配置を決定することができる。
【００１８】
ここでは、指装着部１０は、例えば金属その他を材料としたワイヤ等を環状に成形することで構成されている。この場合には、環状の指装着部１０に指を通すことによって、指装着部１０が対応する指に装着される。なお、指装着部１０は、指に装着できる形状及び機能を有していれば良く、環状形のワイヤに限定されない。例えば、指装着部１０を、環の周が部分的に欠損した形状とすることもできる。また、指装着部１０を、例えばクリップ等の、指に挟んで装着される構成とすることもできる。
【００１９】
手首装着部２０は、帯状のベルト部２１と、ベルト部２１の端に設けられた係合部２３とを含んでいる。係合部２３には、後述する引っ張り手段３０のバンド部３１を貫通させた状態で係合する係合口２３ａが形成されている。さらに、係合部２３には、係合口２３ａを貫通するバンド部３１を押圧して固定するロック機構２５が設けられている。
【００２０】
引っ張り手段３０は、帯状のバンド部３１と、バンド部３１の一端３１ａに設けられた結合部３３を含んでいる。
【００２１】
引っ張り手段３０は、結合部３３によって指装着部１０と接続されている。また、バンド部３１は、手首装着部２０の係合部２３と係合されて接続されている。このように、引っ張り手段３０は、指装着部１０及び手首装着部２０のそれぞれと接続されている。これによって、引っ張り手段３０は、指装着部１０及び手首装着部２０間を繋いでいる。
【００２２】
バンド部３１は、他端３１ｂ側から係合部２３の係合口２３ａを貫通して、係合部２３と係合される。係合口２３ａを貫通するバンド部３１は、係合部２３のロック機構２５で押圧されることによって、係合位置が固定される。そして、手首装着部２０の係合部２３との係合位置は、任意に変更し、調整することができる。従って、バンド部３１が係合部２３と係合される位置に応じて、指装着部１０と手首装着部２０との離間距離を調整することができる。
【００２３】
次に、図３及び図４を参照して、矯正器具１００を手に装着した状態について説明する。図３は、手に装着した状態の矯正器具を示す模式図であり、矯正器具を装着した手を甲側から見た図である。また、図４（Ａ）及び（Ｂ）は、手に装着した状態の矯正器具を示す模式図であり、矯正器具を装着した手を親指側から見た図である。
【００２４】
矯正器具１００は、指装着部１０を指に装着し、かつ手首装着部２０を手首に装着することによって、一方の手（ここでは右手）に装着される。指装着部１０は、指の付け根に位置決めされて装着される。また、手首装着部２０は、ベルト部２１を手首に巻き付けることによって、手首に装着される。手首装着部２０が手首に装着される際には、手の甲の側に係合部２３が位置決めされる。
【００２５】
矯正器具１００を手に装着した状態において、引っ張り手段３０のバンド部３１を手首側に引っ張ることによって、指装着部１０と手首装着部２０との離間距離を縮める。その結果、指装着部１０は、手の甲の側から手首装着部２０に近づく方向に引っ張られる。これによって、指装着部１０を装着した指が、手の甲の側に引っ張られる。その結果、手全体が、手の甲の側から、手首に近づく方向に引っ張られる。
【００２６】
ここで、指装着部１０と手首装着部２０との離間距離に応じて、手の手首に対する曲げ角度が定まる。手が所望の角度に曲がるまでバンド部３１を引っ張った状態で、ロック機構２５によって、バンド部３１と係合部２３との係合位置が固定される。これによって、手全体が、手の甲の側から、手首に近づく方向に引っ張られた状態で固定される。
【００２７】
従って、この実施の形態の矯正器具１００を装着することによって、右手の運動Ｙ１（図１参照）を確実に抑制できる。ゴルフ等の両手で道具を握るスポーツの場合、スイング中において、左手は右手の運動に連動する。そのため、この実施の形態の矯正器具１００を右手に装着することによって、ゴルフ等のスイング中における左右の手の運動Ｙ１及びＹ２を、確実に抑制することができる。
【００２８】
なお、ここでは、矯正器具１００を右手に装着する例について説明したが、例えば利き手が左手であって、クラブを握る手を図１に示す例の左右逆とする場合には、左手に矯正器具１００を装着することもできる。
【００２９】
（手袋）
図５を参照して、この発明の実施の形態による手袋について説明する。図５は、この実施の形態による手袋を示す模式図であり、手袋を、手の甲を包む側から見た図である。図５では、一例として、右手用の手袋の構成を示している。なお、手袋は、上述した矯正器具を含んで構成されている。矯正器具が備える各構成要素については、同一の符号を付し、重複する説明を省略する。
【００３０】
手袋２００は、上述した矯正器具１００と、手袋本体４０とを備えて構成されている。
【００３１】
手袋本体４０は、一方の手（ここでは右手）の少なくとも手の甲及び手の平を包む状態で装着される。図５では、手袋本体４０が、手の甲及び手の平を包む基部４１と、五指を包む指被覆部４３とを備える構成例を示している。また、図５の構成例では、指被覆部４３の先端がカットされている。従って、手袋２００を手に装着した際に、各指の指先が指被覆部４３から露出する。なお、手袋本体４０の構成は図５の構成例に限定されない。例えば指被覆部４３を設けずに、基部４１のみで手袋本体４０を構成することもできる。また、指被覆部４３を、各指の指先まで包む構成とすることもできる。
【００３２】
手袋本体４０には、矯正器具１００の指装着部１０及び手首装着部２０が取り付けられている。
【００３３】
手袋２００を手に装着した際に、手袋本体４０の、指の付け根を被覆する部分に、指装着部１０が取り付けられる。指装着部１０は、手袋本体４０の内側又は外側のいずれかに取り付けられる。図５では、指装着部１０が手袋本体４０の内側に取り付けられている構成例を示している。指装着部１０を手袋本体４０の内側に取り付ける場合には、指装着部１０が、手袋本体４０の甲を包む側から部分的に露出するように取り付けられる。これによって、手袋本体４０の甲を包む側の外側において、指装着部１０と引っ張り手段３０とを接続することができる。
【００３４】
また、図５では、手袋２００が１つの指装着部１０を備える場合の構成例を示している。そして、この指装着部１０は中指に装着される。なお、指装着部１０の数及びいずれの指に装着されるかは、用途に応じて適宜変更することができる。そして、指装着部１０の数及びいずれの指に装着されるかに応じて、指装着部１０の配置を決定することができる。
【００３５】
手首装着部２０は、手袋本体４０の手を挿入する開口の部分（端部）に取り付けられている。手首装着部２０の係合部２３は、手袋本体４０の手の甲を包む側に位置決めされる。そして、ベルト部２１の端部と係合部２３とが、例えば縫合等の手段によって接続されている。そして、引っ張り手段３０は、手袋本体４０の手の甲を包む部分の外側において、指装着部１０及び手首装着部２０を繋いでいる。
【００３６】
次に、図６及び図７を参照して、手袋２００を手に装着した状態について説明する。図６は、手に装着した状態の手袋を示す模式図であり、手袋を装着した手を甲側から見た図である。また、図７は、手に装着した状態の手袋を示す模式図であり、矯正器具を装着した手を親指側から見た図である。
【００３７】
手袋２００は、手袋本体４０に手を収容し、かつ手首装着部２０を手首に装着することによって、一方の手（ここでは右手）に装着される。この際に、手袋本体４０に取り付けられた指装着部１０が、指に装着される。指装着部１０は、装着した指の付け根に位置決めされる。また、手首装着部２０は、ベルト部２１を手首に巻き付けることによって、手首に装着される。
【００３８】
手袋２００を手に装着した状態において、引っ張り手段３０のバンド部３１と手首装着部２０の係合部２３との係合位置を調整し、指装着部１０と手首装着部２０との離間距離を縮める。その結果、指装着部１０は、引っ張り手段３０によって、手の甲の側から手首装着部２０に近づく方向に引っ張られる。これによって、指装着部１０を装着した指が、手の甲の側に引っ張られる。その結果、手全体が、手の甲の側に引っ張られた状態で固定される。手袋２００では、手袋本体４０ではなく、指を通した指装着部１０が手の甲の側に引っ張られる。そのため、手袋本体４０の手の甲を包む側のみが引っ張られるということがなく、手全体が手の甲の側に引っ張られた状態で確実に固定できる。
【００３９】
従って、この実施の形態の手袋２００を装着することによって、右手の運動Ｙ１（図１参照）を確実に抑制できる。ゴルフ等の両手で道具を握るスポーツの場合、スイング中において、左手は右手の運動に連動する。そのため、この実施の形態の手袋２００を右手に装着することによって、ゴルフ等のスイング中における左右の手の運動Ｙ１及びＹ２を、確実に抑制することができる。
【００４０】
なお、ここでは、手袋２００を右手に装着する例について説明したが、例えば利き手が左手であって、クラブを握る手を図１に示す例の左右逆とする場合には、左手に手袋２００を装着することもできる。図５に示す手袋２００を、左右反対に構成することで、手袋２００を左手用とすることができる。
【００４１】
ここで、手袋２００のより好適な構成例として、手袋本体４０に、親指固定手段５０を追加して設けることもできる。図８を参照して、親指固定手段５０を設ける場合の手袋２００について説明する。図８は、手袋２００に親指固定手段５０を設ける場合の構成例を示す模式図であり、手袋を、手の平を包む側から見た図である。図８では、一例として、右手用の手袋の構成を示している。
【００４２】
親指固定手段５０は、手袋本体４０の手の平を包む側の、親指の中手骨周辺を包む領域に設けられる。
【００４３】
親指固定手段５０は、少なくとも手首側が開口された袋状体又は筒状体として構成することができる。図８の構成例では、親指固定手段５０を筒状体として構成した場合を示している。親指固定手段５０には、手袋２００を装着するのとは反対側の手（ここでは左手）の親指が収容される。
【００４４】
親指固定手段５０と手袋本体４０とは、例えば縫合等の手段によって接続されている。さらに、親指固定手段５０と手袋本体４０とは、ワイヤ６０によっても接続されている。ワイヤ６０は、一繋がりの２つの環を有する８の字状に成形されている。ワイヤ６０の一方の環６０ａは、親指固定手段５０の開口部５１の内側に、開口に沿って取り付けられている。また、ワイヤ６０の他方の環６０ｂは、手袋本体４０に、親指の付け根を被覆する部分を囲って取り付けられている。
【００４５】
従って、親指固定手段５０に左手の親指が収容される際に、左手の親指がワイヤ６０の一方の環６０ａを通る。また、手袋２００に右手が装着される際に、右手の親指がワイヤ６０の他方の環６０ｂを通る。
【００４６】
親指固定手段５０を設ける場合においても、右手の運動Ｙ１（図１参照）は、手袋２００を装着することによって抑制される。ここで、上述したように、例えばゴルフを行う場合には、右手で、左手の親指を握り込みつつ、クラブ等を握る。この際に、左手の親指を、右手に装着した手袋２００の親指固定手段５０に収容する。その結果、右手に対して左手の親指を固定した状態で、クラブを握ることができる。上述したように、親指固定手段５０と手袋本体４０とは、８の字状のワイヤ６０で接続されている。そして、上述したように、８の字状のワイヤ６０の環６０ａ及び６０ｂに、左手の親指及び右手の親指が通される。その結果、左手の親指が、右手の平から離れる方向にずれることが防止される。従って、右手と左手とが確実に固定される。右手と左手とを固定することによって、スイング中において、左手を確実に右手の運動に連動させることができる。従って、右手に連動する左手の運動Ｙ２についても、確実に抑制することができる。
【００４７】
ここで、上述した親指固定手段を、手袋本体に対して着脱可能に構成することもできる。図９及び図１０を参照して、着脱可能な親指固定手段を設ける場合の手袋２００について説明する。図９（Ａ）は、手袋に着脱可能な親指固定手段を設ける場合の構成例を示す模式図であり、手袋本体に親指固定手段を取り付けた状態の構成例を示す図である。図９（Ｂ）は、手袋に着脱可能な親指固定手段を設ける場合の構成例を示す模式図であり、手袋本体から親指固定手段を取り外した状態の構成例を示す図である。これら図９（Ａ）及び（Ｂ）は、手袋を、手の平を包む側から見た図である。図９（Ａ）及び（Ｂ）では、一例として、右手用の手袋の構成を示している。また、図１０は、手袋本体から取り外された状態の親指固定手段を示す模式図であり、親指固定手段が、手袋を装着するのとは反対の手（ここでは左手）に装着された状態を示す図である。
【００４８】
親指固定手段５５は、手袋本体４０の手の平を包む側の、親指の中手骨周辺を包む領域に、着脱可能に設けられる。
【００４９】
手袋本体４０の親指固定手段５５が取り付けられる領域には、面ファスナ７０が設けられる。
【００５０】
面ファスナ７０は、例えば縫合等の手段によって、手袋本体４０に接続されている。さらに、面ファスナ７０と手袋本体４０とは、ワイヤ６５によっても接続されている。ワイヤ６５は、手袋本体４０の、親指の付け根を被覆する部分を囲って、環状に成形されている。従って、手袋２００に右手が装着される際に、右手の親指が、ワイヤ６５の環を通る。
【００５１】
一方、親指固定手段５５の、左手の親指を収容する収容部５３にも面ファスナ７５が設けられる。手袋本体４０の面ファスナ７０と、親指固定手段５５の面ファスナ７５とが接着されることによって、親指固定手段５５が手袋本体４０に取り付けられる。
【００５２】
また、図９及び図１０では、親指固定手段５５が、収容部５３と一体的に形成されたベルト部５７を有する構成例を示している。この構成例では、収容部５３に左手の親指を収容した状態で、ベルト部５７を左手の手首に巻き付けて装着することができる（図１０）。従って、親指固定手段５５を、左手に固定的に装着することができる。なお、図１０では、素手の状態の左手に親指固定手段５５を装着する例を示しているが、手袋を装着した状態の左手に対し、その手袋の上から親指固定手段５５を装着することもできる。
【００５３】
親指固定手段５５を、手袋本体４０に対して着脱可能とすることによって、親指固定手段５５を、手袋２００から独立した状態で左手に装着することができる。従って、左手の親指の、右手に対して固定する位置を調整することができる。さらに、親指固定手段５５がベルト部５７を備える場合には、親指固定手段５５を、左手に固定的に装着することができる。
【００５４】
例えばゴルフを行う場合には、手袋２００を右手に装着し、左手に親指固定手段５５を装着する。そして、右手で、左手の親指を握り込みつつ、クラブ等を握る。この際に、手袋２００の面ファスナ７０と親指固定手段５５の面ファスナ７５とが接着される。そのため、左手の親指が、右手に対して固定される。さらに、右手に手袋２００を装着する際には、面ファスナ７０と手袋本体４０とを接続する、ワイヤ６５の環に右手の親指が通される。従って、クラブを握る際に、左手の親指が、右手の平から離れる方向にずれることが防止される。その結果、右手に対して左手を固定した状態で、クラブを握ることができる。従って、上述した親指固定手段５０（図８参照）を設ける場合と同様に、右手に連動する左手の運動Ｙ２（図１参照）を、確実に抑制することができる。
【００５５】
なお、手袋２００を装着する一方の手（ここでは右手）に対して、手袋２００を装着するのとは反対の他方の手（ここでは左手）の親指を固定する手段は、上述した親指固定手段に限定されない。別の手段として、例えば、他方の手に装着する手袋を、手袋２００に固定する構成例とすることもできる。この場合には、手袋２００に追加して、手袋固定手段を設ける。図１１（Ａ）及び（Ｂ）を参照して、手袋固定手段を設ける場合の手袋２００について説明する。図１１（Ａ）は、この実施の形態の手袋２００に手袋固定手段を設ける場合の構成例を示す模式図であり、手袋を、手の平を包む側から見た図である。図１１（Ａ）では、一例として、右手用の手袋の構成を示している。また、図１１（Ｂ）は、この実施の形態の手袋２００を装着するのとは反対の手に装着される手袋を示す模式図であり、手袋を、手の甲を包む側から見た図である。図１１（Ｂ）では、一例として、左手用の手袋の構成を示している。
【００５６】
図１１（Ａ）に示す例では、この実施の形態の手袋２００に、手袋固定手段８０として面ファスナが設けられている。以下、この構成例において、手袋固定手段８０を面ファスナ８０とも称する。面ファスナ８０は、手袋本体４０の手の平を包む側であって、親指の中手骨周辺を包む領域に設けられる。面ファスナ８０には、他方の手（ここでは左手）に装着される手袋の親指を被覆する部分が固定される。
【００５７】
面ファスナ８０は、例えば縫合等の手段によって、手袋本体４０に接続されている。さらに、面ファスナ８０と手袋本体４０とは、ワイヤ６７によっても接続されている。ワイヤ６７は、手袋本体４０の、親指の付け根を被覆する部分を囲って、環状に成形されている。従って、手袋２００に右手が装着される際に、右手の親指が、ワイヤ６７の環を通る。
【００５８】
また、手袋固定手段８０として面ファスナを用いる場合には、手袋２００を装着するのとは反対の手（ここでは左手）に装着される、手袋３００を用意する（図９（Ｂ））。手袋３００では、左手の親指を被覆する部分の側面に面ファスナ８５が設けられる。
【００５９】
例えばゴルフを行う場合には、面ファスナ８０が設けられた手袋２００を右手に装着し、左手に手袋３００を装着する。そして、右手で、左手の親指を握り込みつつ、クラブ等を握る。この際に、手袋２００の面ファスナ８０と手袋３００の面ファスナ８５とが接着される。そのため、左手の親指が、右手に対して固定される。さらに、右手に手袋２００を装着する際には、面ファスナ８０と手袋本体４０とを接続する、ワイヤ６７の環に右手の親指が通される。従って、クラブを握る際に、左手の親指が、右手の平から離れる方向にずれることが防止される。その結果、右手に対して左手を固定した状態で、クラブを握ることができる。従って、右手に連動する左手の運動Ｙ２（図１参照）を、確実に抑制することができる。
【００６０】
このように、手袋２００を装着する一方の手に他方の手の親指を固定する手段は、任意に適宜変更することができる。なお、図８に示す親指固定手段５０又は図９及び図１０に示す親指固定手段５５を採用する場合には、他方の手に装着する手袋を用意する必要がない。そのため、一方の手に他方の手の親指を固定する手段として、親指固定手段５０又は５５を設けることは、コスト削減の観点において有利である。
【符号の説明】
【００６１】
１０：指装着部
２０：手首装着部
３０：引っ張り手段
４０：手袋本体
５０、５５：親指固定手段
１００：矯正器具
２００、３００：手袋   
【要約】
【課題】ゴルフ等のスイング中における、手首の関節を中心とした、手の甲に交わる方向の手の運動を確実に抑制できる矯正器具及び手袋を提供する。
【解決手段】一方の手の人差し指、中指、薬指及び小指のうちの少なくとも１つの指に、装着される指装着部１０と、手首に装着される手首装着部２０と、指装着部及び手首装着部間を繋ぐ引っ張り手段３０とを備える。指装着部に指を通し、かつ手首装着部を手首に装着した状態において、引っ張り手段は、指装着部を手の甲の側から前記手首装着部に近づく方向に引っ張る。
【選択図】図２【図１】
0005804435.tif 000002
【図２】
0005804435.tif 000003
【図３】
0005804435.tif 000004
【図４】
0005804435.tif 000005
【図５】
0005804435.tif 000006
【図６】
0005804435.tif 000007
【図７】
0005804435.tif 000008
【図８】
0005804435.tif 000009
【図９】
0005804435.tif 000010
【図１０】
0005804435.tif 000011
【図１１】
0005804435.tif 000012